(57)【要約】【課題】本発明は、光ピックアップの移動負荷特性を良好にし得る。【解決手段】本発明は、ブラケット３０によって上下方向にリードスクリュー２２及びモータ軸２６をずらして交差させた状態で当該リードスクリュー２２及びモータ軸２６を保持し、リードギア２４とモータギア２７とを噛み合わせた状態で配置させることにより、モータ軸２６の回転に応じてリードスクリュー２２を回転させる。このブラケット３０は、モータ軸２６を保持するモータ軸受部６２と、モータ軸２６と平行な長手方向に細長に形成されると共に先端部分である軸受先端部７４が解放されリードスクリュー２２を保持するリード軸受部６１と、リード軸受部６１の根本部である弾性部７６とモータ軸受部６２とを接続する接続部としてのフレーム部６０と、リード軸受部６１の上下方向の位置を固定する上下位置固定部としての上下位置固定領域８０とを有するようにした。【選択図】図１５
2009205731.tif 000002
【特許請求の範囲】
【請求項１】
光ディスクの情報記録面に対して光ビームを照射する光ピックアップと、
上記光ディスクの半径方向にほぼ平行に配置され螺旋状のスクリュー溝を有し、リードギアを有するリードスクリューと、
モータギアを有するモータ軸を回転させるモータと、
上記情報記録面に直交する上下方向に上記リードスクリュー及び上記モータ軸をずらして交差させた状態で上記リードスクリュー及び上記モータ軸を保持し、上記リードギアと上記モータギアとを噛み合わせた状態で配置させることにより、上記モータ軸の回転に応じて上記リードスクリューを回転させるブラケットと、
上記光ピックアップと連接されて設けられ、上記リードスクリュー側に突出させてなるラック歯を上記スクリュー溝に噛み合わせることにより、上記リードスクリューの回転に応じて上記光ピックアップと共に上記半径方向に移動するラック部と
を具え、
上記ブラケットは、
上記モータ軸を保持するモータ軸受部と、上記モータ軸と平行な方向に細長に形成されると共に先端部分が解放され上記リードスクリューを保持するリード軸受部と、上記モータ軸受部と上記リード軸受部の根本部とを接続する接続部と、上記リード軸受部の上下方向の位置を固定する上下位置固定部とを有する
ことを特徴とするピックアップ移動モジュール。
【請求項２】
上記根本部は、
弾性を有しており、
上記上下位置固定部は、
上記リード軸受部の上下方向のうちどちらか一方に押し付けることにより上記上下方向の位置を固定する
ことを特徴とする請求項１に記載のピックアップ移動モジュール。
【請求項３】
上記根本部は、
上記モータ軸及び上記上下方向に垂直な方向の厚さよりも上記上下方向の厚さが小さく形成されている
ことを特徴とする請求項２に記載のピックアップ移動モジュール。
【請求項４】
上記リード軸受部は、
上記リードスクリューを上記モータ軸より上側に配置させると共に、上記先端部分を上記モータ軸受部の上部に形成された上記上下位置固定部に対向させ、
上記上下位置固定部は、
上記先端部分を押し下げることにより上記リード軸受部の上下方向の位置を固定する
ことを特徴とする請求項３に記載のピックアップ移動モジュール。
【請求項５】
上記上下位置固定部は、
上面に下側に向けた螺子穴が形成されると共に当該上面が上記先端部分の上端よりも下側に形成され、当該螺子穴に挿入された螺子の螺子頭が上記先端部分を押し下げることにより上記リード軸受部の上下方向の位置を固定する
ことを特徴とする請求項４に記載のピックアップ移動モジュール。
【請求項６】
上記リード軸受部は、
上記先端部分において上記上下位置固定部と対向する対向面の上側から下側に向けて上記上下位置固定部から離隔するように形成されている
ことを特徴とする請求項５に記載のピックアップ移動モジュール。
【請求項７】
上記上下位置固定部は、
上記上面に上記螺子頭を係止するための突起が形成されている
ことを特徴とする請求項５に記載のピックアップ移動モジュール。
【請求項８】
上記モータに連接される板状のモータ連接部と、
上記モータ軸を収納すると共に、上記モータ連接部と上記接続部とを接続するモータ軸収納部と
を具えることを特徴とする請求項６に記載のピックアップ移動モジュール。
【請求項９】
上記接続部は、
上記ブラケットの外縁を構成すると共に、上記リード軸受部の上側に当該リード軸受部に沿って形成され、
上記リード軸受部は、
軸受穴に上記リードスクリューの先端部が挿入されることにより当該リードスクリューを保持すると共に、上記軸受穴の近傍における上記上下方向の厚さを大きくする一方、上記接続部と上記上下方向にその位置が重複する領域の厚さを小さく形成する
ことを特徴とする請求項５に記載のピックアップ移動モジュール。
【請求項１０】
上記リード軸受部は、
上記リードスクリューを上記上下方向に直交する面内で上記光ピックアップが移動するラジアル方向に平行に配置させ、
上記モータ軸受部は、
上記モータ軸を上記上下方向に直交する面内で上記ラジアル方向からほぼ４５°回転させた状態で配置させる
ことを特徴とする請求項５に記載のピックアップ移動モジュール。
【請求項１１】
光ディスクの情報記録面に対して光ビームを照射する光ピックアップと、
上記光ディスクの半径方向に平行に配置され上記光ピックアップに通された移動軸と、
半径方向にほぼ平行に配置され螺旋状のスクリュー溝を有し、リードギアを有するリードスクリューと、
モータギアを有するモータ軸を回転させるモータと、
上記情報記録面に直交する上下方向に上記リードスクリュー及び上記モータ軸をずらして交差させた状態で上記リードスクリュー及び上記モータ軸を保持し、上記リードギアと上記モータギアとを噛み合わせた状態で配置させることにより、上記モータ軸の回転に応じて上記リードスクリューを回転させるブラケットと、
上記光ピックアップと連接されて設けられ、上記リードスクリュー側に突出させてなるラック歯を上記スクリュー溝に噛み合わせることにより、上記リードスクリューの回転に応じて上記光ピックアップと共に上記半径方向に移動するラック部と
を具え、
上記ブラケットは、
上記モータ軸を保持するモータ軸受部と、上記モータ軸と平行な方向に細長に形成されると共に先端が解放され上記リード軸を保持するリード軸受部と、上記モータ軸受部と上記リード軸受部の根本部とを接続する接続部と、上記リード軸受部の上下方向の位置を固定する上下位置固定部とを有する
ことを特徴とする光ディスク装置。
【請求項１２】
リードギアを有し螺旋状のスクリュー溝を有するリードスクリュー及びモータギアを有しモータの駆動に応じて回転するモータ軸を光ディスクの情報記録面に直交する上下方向にずらして交差させた状態で上記リードスクリュー及び上記モータ軸を保持し、上記リードギアと上記モータギアとを噛み合わせた状態で配置させることにより、上記モータ軸の回転に応じて上記リードスクリューを回転させるブラケットであって、
上記モータ軸を保持するモータ軸受部と、
上記モータ軸と平行な方向に細長に形成されると共に先端が解放され上記リード軸を保持するリード軸受部と、
上記モータ軸受部と上記リード軸受部の根本部とを接続する接続部と、
上記リード軸受部の上下方向の位置を固定する上下位置固定部と
を具えることを特徴とするブラケット。
【発明の詳細な説明】
【技術分野】
【０００１】
本発明は、ピックアップ移動モジュール、光ディスク装置及びブラケットに関し、例えばノート型パーソナルコンピュータに搭載される薄型の光ディスク装置に適用して好適なものである。
【背景技術】
【０００２】
従来、光ディスク装置としては、光ピックアップ２を光ディスクの半径方向であるラジアル方向に移動させることにより、光ディスク１００における所望のトラックに光ビームを照射するようになされている。
【０００３】
この光ピックアップ２を移動させるためのピックアップ移動モジュール（以下、これをベースユニットと呼ぶ）１として、図１に示すようなものがある。このベースユニット１では、互いに平行に配置された２本の移動軸３が光ピックアップ２に通されると共に、移動軸３とほぼ平行に配置されたリードスクリュー４に対し、光ピックアップ２に連接されたラック５を対向して配置させている。（例えば、特許文献１参照）。なお図１は、ベースユニット１をいわゆる裏側から示した図であり、光ディスク１００が紙面奥側に装填された状態を表している。
【０００４】
そしてベースユニット１では、モータ６に接続されたモータ軸７を回転させると共に、リードスクリュー４及び当該モータ軸７間に組み込まれた複数のギア列８を介して、モータ軸７の回転をリードスクリュー４に伝達し、当該リードスクリュー４を回転させるようになされている。
【０００５】
これによりベースユニット１では、モータ６の回転に応じて当該リードスクリュー４を回転させ、ラック５及び当該ラック５と連接する光ピックアップ２を移動軸３に沿って移動させ得るようになされている。
【０００６】
なおベースユニット１では、光ディスク１００が装填されない領域にモータ６を配置している。これによりベースユニット１は、厚さのあるモータ６と光ディスク１００とを上下方向に重複させることがなく、ベースユニット１全体を薄型化し得るようになされている。
【特許文献１】特開２００５−２１６３４４公報
【発明の開示】
【発明が解決しようとする課題】
【０００７】
ところで上述したベースユニット１では、ギア列８を介してモータ軸７の回転をリードスクリュー４に伝達している。しかしながら例えば図２（Ａ）に示すように、リードスクリュー４及びモータ軸７を上下方向にずらして交差させると共に当該交差させた位置にそれぞればね歯車でなるギア４Ａ及び７Ａを設けることにより、モータ軸７の回転力をリードスクリュー４に直接伝達することができると考えられる。
【０００８】
この場合、リードスクリュー４及びモータ軸７が交差し、その先端が互いに近傍に配置されることになるため、一の部品であるブラケット（図示しない）を用いてこれらの先端を保持することにより、リードスクリュー４及びモータ軸７を保持するために別々の部品を設ける必要がないため、部品点数を減少させることができると考えられる。
【０００９】
このブラケットは、一般的にブラケット毎のばらつきを考慮して２つのギア４Ａ及び７Ａのピッチ間隔（バックラッシュ）を適正値よりも大きく設定した状態でリードスクリュー４及びモータ軸７を保持するように設計される。
【００１０】
しかしながらベースユニット１では、薄型化に伴ってブラケットの機械的強度を十分に確保することができず、ブラケット毎のばらつきが大きくなり易い。このためベースユニット１では、２つのギア４Ａ及び７Ａのバックラッシュを適正値よりもかなり大きい値に設定することになってしまう。
【００１１】
またベースユニット１を薄型化するためには、リードスクリュー４及びモータ軸７の直径を小さくする必要があり、これに伴って図２（Ｂ）に示すように、歯底円直径Ｄａに対する歯先円直径Ｄｂの比が大きくなるため、バックラッシュの影響を大きく受け易くなる。
【００１２】
このためベースユニット１では、モータ軸７からリードスクリュー４へ回転力を伝達する際に、ギア４Ａ及び７Ａ間で生じるギア間ノイズが大きくなって伝達効率等が悪化してしまい、光ピックアップ２の移動負荷特性が悪化してしまうという問題があった。
【００１３】
本発明は以上の点を考慮してなされたもので、光ピックアップの移動負荷特性を良好にし得るピックアップ移動モジュール、光ディスク装置及びブラケットを提案しようとするものである。
【課題を解決するための手段】
【００１４】
かかる課題を解決するため本発明のピックアップ移動モジュールにおいては、光ディスクの情報記録面に対して光ビームを照射する光ピックアップと、光ディスクの半径方向にほぼ平行に配置され螺旋状のスクリュー溝を有し、リードギアを有するリードスクリューと、モータギアを有するモータ軸を回転させるモータと、情報記録面に直交する上下方向にリードスクリュー及びモータ軸をずらして交差させた状態でリードスクリュー及びモータ軸を保持し、リードギアとモータギアとを噛み合わせた状態で配置させることにより、モータ軸の回転に応じてリードスクリューを回転させるブラケットと、光ピックアップと連接されて設けられ、リードスクリュー側に突出させてなるラック歯をスクリュー溝に噛み合わせることにより、リードスクリューの回転に応じて光ピックアップと共に半径方向に移動するラック部とを設け、ブラケットは、モータ軸を保持するモータ軸受部と、モータ軸と平行な方向に細長に形成されると共に先端部分が解放されリードスクリューを保持するリード軸受部と、モータ軸受部とリード軸受部の根本部とを接続する接続部と、リード軸受部の上下方向の位置を固定する上下位置固定部とを有するようにした。
【００１５】
これによりリード軸受部の上下方向の位置を変位させることができるため、リードギア及びモータギアのバックラッシュを適正値に近づけるようにリードスクリューの上下方向の位置を調整することができ、リードギア及びモータギア間のギア間ノイズを小さくして伝達効率などを向上させることができる。
【００１６】
また本発明の光ディスク装置では、光ディスクの情報記録面に対して光ビームを照射する光ピックアップと、光ディスクの半径方向にほぼ平行に配置され螺旋状のスクリュー溝を有し、リードギアを有するリードスクリューと、モータギアを有するモータ軸を回転させるモータと、情報記録面に直交する上下方向にリードスクリュー及びモータ軸をずらして交差させた状態でリードスクリュー及びモータ軸を保持し、リードギアとモータギアとを噛み合わせた状態で配置させることにより、モータ軸の回転に応じてリードスクリューを回転させるブラケットと、光ピックアップと連接されて設けられ、リードスクリュー側に突出させてなるラック歯をスクリュー溝に噛み合わせることにより、リードスクリューの回転に応じて光ピックアップと共に半径方向に移動するラック部とを設け、ブラケットは、モータ軸を保持するモータ軸受部と、モータ軸と平行な方向に細長に形成されると共に先端部分が解放されリードスクリューを保持するリード軸受部と、モータ軸受部とリード軸受部の根本部とを接続する接続部と、リード軸受部の上下方向の位置を固定する上下位置固定部とを有するようにした。
【００１７】
これによりリード軸受部の上下方向の位置を変位させることができるため、リードギア及びモータギアのバックラッシュを適正値に近づけるようにリードスクリューの上下方向の位置を調整することができ、リードギア及びモータギア間のギア間ノイズを小さくして伝達効率などを向上させることができる。
【００１８】
さらに本発明のブラケットでは、リードギアを有し螺旋状のスクリュー溝を有するリードスクリュー及びモータギアを有しモータの駆動に応じて回転するモータ軸を光ディスクの情報記録面に直交する上下方向にずらして交差させた状態でリードスクリュー及びモータ軸を保持し、リードギアとモータギアとを噛み合わせた状態で配置させることにより、モータ軸の回転に応じてリードスクリューを回転させるブラケットであって、モータ軸を保持するモータ軸受部と、モータ軸と平行な方向に細長に形成されると共に先端が解放されリード軸を保持するリード軸受部と、モータ軸受部とリード軸受部の根本部とを接続する接続部と、リード軸受部の上下方向の位置を固定する上下位置固定部とを設けるようにした。
【００１９】
これによりリード軸受部の上下方向の位置を変位させることができるため、リードギア及びモータギアのバックラッシュを適正値に近づけるようにリードスクリューの上下方向の位置を調整することができ、リードギア及びモータギア間のギア間ノイズを小さくして伝達効率などを向上させることができる。
【発明の効果】
【００２０】
本発明によれば、リード軸受部の上下方向の位置を変位させることができるため、リードギア及びモータギアのバックラッシュを適正値に近づけるようにリードスクリューの上下方向の位置を調整しリードギア及びモータギア間のギア間ノイズを小さくして伝達効率などを向上させることができ、かくして光ピックアップの移動負荷特性を良好にし得るピックアップ移動モジュール、光ディスク装置及びブラケットを実現できる。
【発明を実施するための最良の形態】
【００２１】
以下、図面について、本発明の一実施の形態を詳述する。
【００２２】
（１）光ディスク装置の構成
図３において１０は、全体として光ディスク装置を示しており、図示しないノート型パーソナルコンピュータに搭載されることが想定されている。なお図３では、説明の便宜上紙面上側を下側、紙面下側を上側として示している。
【００２３】
光ディスク装置１０は、光ディスク１００が装填されるディスクトレイ１２と、当該ディスクトレイ１２を収納するケース１１とから構成されている。
【００２４】
ケース１１は、例えばアルミニウム板金を打ち抜き成型され、穴開けなどの加工が施されることにより形成され、ディスクトレイ１２の挿脱面と下側の面とが開放された矩形箱状でなる。ケース１１は、その上下方向の厚さが９．０［ｍｍ］に形成されており、ノート型パーソナルコンピュータの本体内部に固定される。
【００２５】
またディスクトレイ１２は、ケース１１に設けられたレール１８上を摺動することによりケース１１から突出し、またケース１１内に収納される。
【００２６】
これにより光ディスク装置１０は、ノート型パーソナルコンピュータの本体からディスクトレイ１２を突出させて光ディスク１００を装填させ得ると共に、当該本体部にディスクトレイ１２を収納し得るようになされている。
【００２７】
ディスクトレイ１２は、光ピックアップ１４及びチャック１５を有するピックアップ移動モジュールとしてのベースユニット１３が組み込まれている。ディスクトレイ１２は、チャック１５に光ディスク１００の中心孔１００Ａが嵌合されることにより、上側に形成されたほぼ円形の凹部である光ディスク装填部１７に光ディスク１００を装填させ、光ディスク１００と光ピックアップ１４とを対向させるようになされている。
【００２８】
なお図示しないが、光ディスク装置１０は、ディスクトレイ１２の下側に当該光ディスク装置１０を制御するための制御基板を設けることにより、光ディスク装置１０全体を薄型化している。
【００２９】
またベースユニット１３は、矩形状でなるディスクトレイ１２の各辺に対してほぼ４５°傾けて配置されることにより、光ピックアップ１４の移動するスペースを確保するようになされている。
【００３０】
図４に、ベースユニット１３を図３とは反対側となる上側から見た図を示している。以下、光ディスク１００において光ビームが照射される情報記録面に対して垂直な方向を上下方向、光ピックアップ１４が移動する方向をラジアル方向とし、当該ラジアル方向及び上下方向に対して垂直な方向をタンジェンシャル方向と定義する。
【００３１】
ベースユニット１３は、ラジアル方向に平行に設けられた２本の移動軸２０Ａ及び２０Ｂを有しており、この移動軸２０Ａ及び２０Ｂに沿って光ピックアップ１４を移動させるようになされている。
【００３２】
すなわち光ピックアップ１４は、当該光ピックアップ１４においてタンジェンシャル方向の両端部に設けられた軸孔１４Ａに移動軸２０Ａ及び２０Ｂを挿入させることにより、タンジェンシャル方向に移動可能に設置されている。また光ピックアップ１４は、移動軸２０Ａ（紙面手前側）を貫通させた２つの軸穴１４Ａ間にラック２３を連接している。
【００３３】
ラック２３は、光ピックアップ１４と反対側に突出するラック歯２３Ａを有しており、当該反対側をリードスクリュー２２に対向させている。リードスクリュー２２は、移動軸２０Ａ及び２０Ｂとほぼ平行に配置されており、図５に示すように、モータ２５に連接されたブラケット３０によって当該リード軸先端部２２Ａが保持されている。
【００３４】
リードスクリュー２２（図４）は、螺旋状のスクリュー溝を有しており、当該スクリュー溝とラック歯２３Ａとが噛み合わされた状態で配置されるようになされている。
【００３５】
モータ２５は、ベースユニット１３において光ディスク１００が装填されない外周側の先端部分に配置されている。これによりベースユニット１３は、モータ２５と当該光ディスク１００とを上下方向に重複しないようにでき、光ディスク装置１０（図３）全体を薄型化し得るようになされている。
【００３６】
モータ２５は、図５に示すようにモータ軸２６の先端に形成されたモータ軸先端部２６Ａの近傍にねじ歯車でなるモータギア２７を有しており、ブラケット３０によって当該モータ軸先端部２６Ａが保持されている。またリードスクリュー２２は、当該リードスクリュー２２の外側の先端に形成されたリード軸先端部２２Ａの近傍にリードギア２４を有しており、モータギア２７とリードギア２４とが噛み合わされた状態で配置されるようになされている。
【００３７】
そしてベースユニット１３では、モータ２５を駆動させてモータ軸２６を回転させると共に、モータギア２７及びリードギア２４を介して回転力を伝達することにより、リードスクリュー２２を回転させる。
【００３８】
この結果ベースユニット１３は、互いに噛み合った状態で配置されたラック歯２３Ａとスクリュー溝との接触部分を滑らせることにより、ラック２３を光ピックアップ１４と共にラジアル方向に移動するようになされている。
【００３９】
なおベースユニット１３（図４）では、ラジアル方向における外周側の先端部分が、ディスクトレイ１２（図３）に沿って三角形状に形成されている。ベースユニット１３では、この三角形状の領域において上下方向と垂直な面内に板状の部品取付ベース２９が設置されると共に、当該部品取付ベース２９上にモータ２５やブラケット３０などの各種部品が取付られている。
【００４０】
ベースユニット１３では、モータ２５の長手方向を外周側の外枠（以下、これを外縁枠と呼ぶ）２９Ａに沿って、すなわちラジアル方向に対してほぼ４５°に傾斜させて配置している。
【００４１】
これによりベースユニット１３は、図５に示すように、モータ２５から延設されるモータ軸２６とリードスクリュー２２とを極力大きな角度（約１３５°程度）で交差させることができ、モータギア２７及びリードギア２４の噛み合いに無理を生じさせないようになされている。
【００４２】
（２）ブラケットの構成
（２−１）ブラケットの全体構成
次に、ブラケット３０の構成について説明する。なお以下、ブラケット３０の長手方向において、連接するモータ３０の方向をモータ側、当該モータ側と反対側を軸受側、さらにブラケット３０の短手方向となる内外方向において、光ディスク１００が装填されたときの内周方向を内側、外周方向を外側と定義する。因みにブラケット３０は、モータ２５とほぼ平行に配置されるため、長手方向及び内外方向は、ラジアル方向及びタンジェンシャル方向から約４５°回転させた方向となる。
【００４３】
ブラケット３０は、例えば硬質の樹脂でなり、金型を用いた射出成形により形成される。図６〜図１２に示すように、ブラケット３０は、上下方向に垂直な面内に形成され長手方向に長い板状でなる天井部４０を有するモータ軸収納部３４と、当該天井部４０のモータ側及び内側の端部近傍から延設された固定部３１と、天井部４０のモータ側の端部から下側に延設されたモータ連接部３３と、天井部４０から軸受側に延設された軸受部３５と、当該軸受部３５の内側に延設された固定部３２とからなる。
【００４４】
固定部３１は、天井部４０とほぼ平行に設けられ、当該天井部４０に対してほぼ垂直に形成された壁部４１を介して当該天井部４０と接続されている。固定部３１（図７及び図９）は、上下方向に貫通する螺子孔４２と、下面３１Ｂから突出する円柱状の突起４３とを有している。
【００４５】
固定部３２（図６）は、天井部４０とほぼ平行に設けられ、当該天井部４０に対してほぼ垂直に形成された壁部７０を介してそのモータ側が軸受部３５と接続されると共に、その軸受側が軸受部３５と直接的に接続されている。固定部３２（図７及び図９）は、上下方向に貫通する螺子孔４６と、下面３２Ｂから突出する円柱状の突起４７とを有している。
【００４６】
モータ連接部３３（図７）は、長手方向に垂直なほぼ正方形の板状でなり、天井部４０のモータ側の端部から下側に向けてほぼ垂直に形成されている。モータ連接部３３は、長手方向に貫通する３つの貫通孔を有している。すなわちモータ連接部３３は、ほぼ中心に位置し比較的大きい径でなる軸貫通孔５１と、外側及び下側の端部近傍並びに内側及び上側の端部近傍に位置し軸貫通孔５１よりも小さな径でなる螺子孔５２及び５３とを有している。
【００４７】
モータ軸収納部３４は、天井部４０の外側に当該天井部４０から下側に向かう側壁５５を有している。側壁５５は、上下方向にモータ連接部３３の約半分の高さを有し、天井部４０の長手方向の全域に亘って形成されている。天井部４０は、その上面４０Ａ（図６）に長手方向に長い凹部５６が形成されていると共に、下面４０Ｂ（図８）にモータ連接部３３の軸貫通孔５１及び螺子孔５３の上側の形状に合わせるように長手方向に長い凹部５７及び５８が形成されている。
【００４８】
軸受部３５は、図５に示したように、モータ軸２６を長手方向に平行に保持すると共にリードスクリュー２２をラジアル方向に平行に保持するようになされている（詳しくは後述する）。
【００４９】
すなわちブラケット３０（図７）は、モータ２５から突出するモータ軸２６をモータ連接部３３の軸貫通孔５１に貫通させ、当該モータ軸２６をブラケット３０の長手方向に沿って配置すると共に軸受部３５によって当該モータ軸２６を保持する。
【００５０】
またブラケット３０は、モータ連接部３３のモータ側の当接面３３Ａ（図７）をモータ２５に当接させた状態で、螺子孔５２及び５３を介してモータ２５にモータ連接部３３が図示しない螺子によって螺子止めされることにより、図１３に示すようにモータ２５に連接される。
【００５１】
このとき天井部４０の下面４０Ｂに凹部５７及び５８（図８）が形成されているため、モータ軸２６や螺子を当該下面４０Ｂに当接させることなくモータ２５とブラケット３０とをスムーズに連接させ得るようになされている。
【００５２】
そしてブラケット３０（図７及び図９）は、図１４に示すように、固定部３１及び３２の下側に設けられた突起４３及び４７をベースユニット１３の部品取付ベース２９に設けられた突起受孔２９Ｅ及び２９Ｆに嵌合させる。
【００５３】
さらにブラケット３０（図７及び図９）は、螺子孔４２及び４６を介して部品取付ベース２９（図１３及び図１４）に設けられた螺子孔２９Ｃ及び２９Ｄに螺子５８及び５９を挿入して螺子止めされることにより、部品取付ベース２９に固定されるようになされている。なお図１４において符号の付されていない孔は、移動軸２０Ａ及び２０Ｂなどの各種部品を固定するために使用される螺子孔又は嵌合受孔である。また部品取付ベース２９には、モータの熱を逃がすための開口部分である放熱口２９Ｂが設けられている。
【００５４】
このときブラケット３０は、その外側をベースユニット１３の外縁部分に沿わせると共に、その軸受側が部品取付ベース２９の外縁を構成する外縁枠２９Ａから僅かに突出するように配置される。
【００５５】
これによりベースユニット１３は、ブラケット３０より内側の空間を広げることができるため、当該ベースユニット１３内のスペースを存分に活用することができ、ベースユニット１３を小型化し得るようになされている。
【００５６】
このようにブラケット３０は、モータ２５に連接され長手方向にモータ軸２６を配置させた状態でベースユニット１３上に設置されるようになされている。
【００５７】
（２−２）軸受部の構成
図１５及び図１６に示すように、軸受部３５は、天井部４０から延設され上端を形成するフレーム部６０と、当該フレーム部６０の下側に位置するリード軸受部６１と、フレーム部６０から延設され、リード軸受部６１の軸受側に位置するモータ軸受部６２とから構成されている。
【００５８】
フレーム部６０は、その上端が天井部４０から僅かに上側に盛り上がるように形成されており、天井部４０と隣接する領域から長手方向に対して内側へ向けて斜めに突出する壁部７０と、長手方向に対して平行に形成され、軸受部３５の外側における上端を構成する上枠部７１とを有している。
【００５９】
壁部７０は、天井部４０から下側に向けてほぼ垂直に降り下がりその下部に固定部３２を接続している。上枠部７１は、その下側に形成されたリード軸受部６１を避けるように上下方向に比較的薄く、長手方向に長く形成されており、モータ側においてリード軸受部６１の根本部を接続すると共に、軸受側にモータ軸受部６２を接続している。
【００６０】
モータ軸受部６２は、ブラケット３０における軸受側の端部を形成すると共に、その下部分において固定部３２を接続している。またモータ軸受部６２は、モータ側に形成され長手方向にほぼ直交する側面６２Ｂを有すると共に、当該側面６２Ｂの下部にモータ軸受穴７５が形成されている。
【００６１】
モータ軸受部６２は、当該モータ軸受穴７５にモータ軸２６のモータ軸先端部２６Ａ（図５）が挿入されることにより、当該モータ軸２６を回転可能な状態で保持し得るようになされている。
【００６２】
リード軸受部６１は、フレーム部６０にその根本部が接続されており、上枠部７１の下側に沿って長手方向に細長く形成されている。リード軸受部６１は、長手方向の中心付近にリードスクリュー２２を保持するために設けられた軸保持部７２を有している。
【００６３】
軸保持部７２は、ラジアル方向に対してほぼ垂直な面内に軸挿入面７２Ａを有しており、当該軸挿入面７２Ａからほぼラジアル方向に向かって凹むリード軸受穴７３が形成されている。
【００６４】
そして軸保持部７２は、当該リード軸受穴７３にリードスクリューのリード軸先端部２２Ａが挿入されることにより、当該リードスクリュー２２をラジアル方向とほぼ平行に配置させると共に、当該リードスクリュー２２を回転可能に保持し得るようになされている。
【００６５】
軸保持部７２では、当該軸挿入面７２Ａとほぼ垂直に側面７２Ｂ（図１６）が形成されている。すなわち軸保持部７２は、リード軸受部６１の内側に突出しその肉厚が厚く形成され、当該軸保持部７２の上面６１Ａａが長手方向を底辺とする略二等辺直角三角形状でなることにより、軸挿入面７２Ａがリード軸受部６１からラジアル方向に突出するように形成されている。
【００６６】
これにより軸保持部７２は、円柱状の凹部でなるリード軸受穴７３の周辺部分における軸保持部７２の肉厚をいずれの箇所においても所定以上になるように形成し、リードスクリュー２２を保持するための強度を確保し得るようになされている。
【００６７】
このように軸受部３５では、軸受側の端下部に形成されたモータ軸受部６２によってモータ軸２６を保持し、当該モータ軸２６を長手方向とほぼ平行に配置させる。また軸受部３５では、当該モータ軸２６よりも上側かつモータ側に配置された軸保持部７２によってリードスクリュー２２を保持し、当該リードスクリュー２２をラジアル方向にほぼ平行に配置させる。
【００６８】
これにより軸受部３５は、軸受部３５の内部においてモータ軸２６とリードスクリュー２２とを上下方向にずらして交差させ、モータギア２７及びリードギア２４を噛み合わせた状態で配置し得るようになされている。
【００６９】
なお軸受部３５では、リードスクリュー２２よりも下側に固定部３２を配置すると共に、リードスクリュー２２を避けるようにモータ軸受部６２を形成し、リードスクリュー２２よりも下側で当該モータ軸受部６２と固定部３２とを接続させている。
【００７０】
ここで軸受部３５は、比較的重量のあるモータ軸２６及びリードスクリュー２２を保持するため、ある程度の強度が要求される。軸受部３５は、リードスクリュー２２を挿入し得るスペースを確保しつつ上枠部７１、モータ軸受部６２、固定部３２及び壁部７０をループ状に接続することにより軸受部３５としての強度を確保するようになされている。
【００７１】
かかる構成に加えて本実施の形態のブラケット３０は、リードスクリュー２２の高さを調整する高さ調整機能を有している。次に、この高さ調整機能について説明する。
【００７２】
図１５に示したように、リード軸受部６１は、その根本部分がフレーム部６０から延設されると共に、先端である軸受先端部７４がその軸受側に位置するモータ軸受部６２と接続されておらず、解放されている。
【００７３】
図１７に示すように、リード軸受部６１は、モータ側のフレーム部６０と連接する領域に、弾性部７６を有している。この弾性部７６は、軸保持部７２と比して上面及び下面が凹んでおり全体的に上下方向に薄く形成されることにより弾性を有しており、リード軸受部６１全体を上下方向に変位し得るように形成されている。また弾性部７６は、上下方向と比して内外方向に大きい厚みを有しており、内外方向にリード軸受部６１を殆ど変位させ得ないようになされている。
【００７４】
リード軸受部６１は、軸受側の先端に軸受先端部７４を設けている。軸受先端部７４は、その上面７４Ａがほぼ三角形状に形成されており、軸受側の先端として下側へ平行に降りる先端面７４Ｂと、当該軸受先端部７４の厚みが薄くなるように当該先端面７４Ｂからモータ側へ抉れるように形成された対向面７４Ｃとを有している。
【００７５】
また図１５に示したように、モータ軸受部６２は、その上部に上下位置固定領域８０を有している。上下位置固定領域８０では、その上面６２Ａから下側に向けて形成された螺子穴８２を有している。この上下位置固定領域８０では、十分な強度が得られる肉厚を確保した上で、極力モータ側に位置するように螺子穴８２を配置している。また上下位置固定領域８０は、当該螺子穴８２の縁に沿うように上面６２Ａから突出する２つのストッパ８１を有しており、当該２つのストッパ８１を内外方向に互いに対向させた状態で配置している。
【００７６】
そして図１８（Ａ）及び図１９（Ａ）に示すように、軸受部３５では、リード軸受部６１における対向面７４Ｃを上下位置固定領域８０における側面６２Ｂに対向させた状態で配置させる。
【００７７】
軸受部３５では、リード軸先端部２２Ａがリード軸穴７３に挿入された状態で、軸受先端部７４の上面７４Ａがストッパ８１の上端８１Ａよりも高さＨａだけ高くなるように形成されている。この状態において軸受部３５は、ブラケット３０ごとのばらつきを考慮した上で、リードギア２４及びモータギア２７におけるギア間ピッチ（すなわちバックラッシュ）が適正値よりも大きくなるように形成されている。
【００７８】
また軸受部３５では、軸受先端部７４における先端面７４Ｂと上下位置固定領域８０における側面６２Ｂの位置との長手方向の位置を重複させることなく、先端面７４Ｂと側面６２Ｂとの長手方向の位置間に僅かな間隙Ｇａを設けた状態で配置している。これにより軸受部３５は、先端面７４Ｂを上面６２Ａ又は側面６２Ｂに当接させることなくリード軸受部６１を上下方向に変位させ得るようになされている。
【００７９】
さらに軸受部３５では、上下位置固定領域８０の螺子穴８２に螺子８３が挿入されることが想定されている。この螺子８３としては、螺子頭８３Ａの半径Ｇｃが、螺子穴８２の中心線Ｃｓから軸受先端部７４おける先端面７４Ｂまでの距離Ｇｂよりも大きいものが使用される。
【００８０】
この結果図１８（Ｂ）及び図１９（Ｂ）に示すように、軸受部３５では、螺子８３が螺合されるに従って螺子頭８３が軸受先端部７４の上面７４Ａに当接し、下側に押し付けることにより、軸受先端部７４を螺子８３の螺合状態に応じた距離Ｈｃだけ下側に押し下げる。
【００８１】
このときリード軸受部６１では、根本（モータ側）の弾性部７６が変形することにより、リード軸受部６１全体が下側に押し下げられ、当該リード軸受部６１に保持されたリードスクリュー２２の位置を下側に下げ得るようになされている。
【００８２】
またリード軸受部６１では、弾性部７６が弾性を有しているため、軸受先端部７４を当該弾性によって上側にある螺子頭８３Ａに押し付けることができ、上下双方向からある程度の力を作用させた状態となるので、上下方向の位置を固定することができる。さらにリード軸受部６１では、螺子８３を緩めて螺子頭８３Ａの位置を上側に変位させることにより一旦下側に押し下げた軸受先端部７４の位置を弾性によって再度上側に戻し、その位置で軸受先端部７４の位置を固定し得るようになされている。
【００８３】
これによりリード軸受部６１は、螺子８３の螺合状態に応じてリードスクリュー２２を上下方向に自由に変位させ、その状態を保持することができるため、モータ軸２６とリードスクリュー２２との位置関係を最適な状態にすることができる。
【００８４】
すなわちベースユニット１３では、リードギア２４及びモータギア２７が互いに接触するピッチを常にほぼ一定の位置になるように調整することができるため、バックラッシュを適正値付近に設定することが可能となる。この結果ベースユニット１３では、ギア間ノイズや、伝達効率等を悪化させずに済み、光ピックアップ１４の移動負荷特性を良好にし得るようになされている。
【００８５】
なおリード軸受部６１（図１７）では、軸受先端部７４の上面７４Ａをリード軸受部６１の先端側が広がる三角形状に形成することにより、螺子頭８３Ａと当接する部分の面積を増大させ、当該軸受先端部７４を上下方向に固定した状態を安定化し得るようになされている。
【００８６】
またリード軸受部６１では、上面６１Ａにおいて大きな強度が必要となる軸保持部７２に対応する領域６１Ａａ及び上枠部７１と対向しない内側の領域６１Ａｂを盛り上がるように形成する一方、上枠部７１と対向する外側の領域６１Ａｃを他の領域６１Ａａ及び６１Ａｂよりも凹ませている。これにより軸受部３５では、薄く形成された外側の領域６１Ａｃに対向する上枠部７１（図１５）を極力厚く形成させることができ、上枠部７１の強度を向上させ得るようになされている。
【００８７】
さらに軸受部３５（図１８（Ａ））では、リードスクリュー２２を保持していない状態において、モータ軸受穴７５の上端と軸受先端部７４の下端７４Ｄとの距離Ｈｂが軸受先端部７４の上面７４Ａからストッパ８１の上端までの距離Ｈａよりも大きくなるように形成されている。
【００８８】
これにより軸受部３５では、螺子頭８３Ａがストッパ８１に当接するまで螺子８３が螺子穴８２に螺合された場合であっても、軸受先端部７４の下端７４Ｄがモータ軸２６と接触しないようになされている。
【００８９】
（３）動作及び効果
以上の構成において、光ディスク装置１０におけるベースユニット１３は、光ディスク１００の情報記録面に対して光ビームを照射する光ピックアップ１４と、光ディスク１００の半径方向であるラジアル方向にほぼ平行に配置され螺旋状のスクリュー溝を有し、リードギア２４を有するリードスクリュー２２と、モータギア２７を有するモータ軸２６を回転させるモータ２５とを有している。
【００９０】
またベースユニット１３では、光ピックアップ１４と連接されて設けられ、リードスクリュー２２側に突出させてなるラック歯２３Ａをスクリュー溝に噛み合わせることにより、リードスクリュー２２の回転に応じて光ピックアップ１４と共にラジアル方向に移動するラック部２３を有している。
【００９１】
またベースユニット１３では、ブラケット３０によって情報記録面に直交する上下方向にリードスクリュー２２及びモータ軸２６をずらして交差させた状態で当該リードスクリュー２２及びモータ軸２６を保持し、リードギア２４とモータギア２７とを噛み合わせた状態で配置させることにより、モータ軸２６の回転に応じてリードスクリュー２２を回転させる。
【００９２】
これによりベースユニット１３では、モータ２５の駆動に応じてモータ軸２６に加えられた回転力をモータギア２７及びリードギア２４を介してリードスクリュー２２に伝達することができ、モータ２５の駆動に応じて光ピックアップ１４をラジアル方向に移動させることができる。
【００９３】
そしてブラケット３０は、モータ軸２６を保持するモータ軸受部６２と、モータ軸２６と平行な長手方向に細長に形成されると共に先端部分である軸受先端部７４が解放されリードスクリュー２２を保持するリード軸受部６１と、リード軸受部６１の根本部である弾性部７６とモータ軸受部６２とを接続する接続部としてのフレーム部６０と、リード軸受部６１の上下方向の位置を固定する上下位置固定部としての上下位置固定領域８０とを有している。
【００９４】
これによりベースユニット１３では、リード軸受部６１を上下方向に変位させその上下方向の位置を固定することができるため、当該リード軸受部６１に保持されるリードスクリュー２２の位置を上下方向に調整することができる。この結果ベースユニット１３では、上下方向にずれ噛み合わされた状態で配置されるモータギア２７及びリードギア２４のバックラッシュが最適になるようにリードスクリュー２２の上下方向の位置を調整することができる。
【００９５】
このためベースユニット１３では、モータギア２７及びリードギア２４のギア間ノイズを減少させて伝達効率を向上させることができ、光ピックアップ１４の移動負荷特性を良好にすることができる。
【００９６】
またブラケット３０における弾性部７６が弾性を有していると共に、上下位置固定領域８０の一部として、当該上下位置固定領域８０に形成された螺子穴８２に螺子８３が挿入されることにより、当該螺子８３の螺子頭８３Ａがリード軸受部６１を下側へ向けて押し付けるようにした。
【００９７】
これによりブラケット３０は、弾性部７６の弾性によってリード軸受部６１を螺子頭８３Ａへ向けて上側に押し付けることができるため、リード軸受部６１の上側の位置を固定するだけで後は自動的にリード軸受部６１が下側に変位することのないようその位置を固定することができる。このためブラケット３０は、リード軸受部６１の下側を固定するための構成が不要となるため、ブラケット３０としての構成を簡易にすることができる。
【００９８】
さらにブラケット３０では、弾性部７６において上下方向に垂直な内外方向の厚さよりも上下方向の厚さが小さく形成されているため、リード軸受部６１を上下方向には変位させ得る一方、内外方向に変位させ難くし得る。
【００９９】
これによりブラケット３０は、仮にリードスクリュー２２に対して内外方向に応力が加わったような場合であっても、リード軸受部６１を内外方向に変位させずに済み、リードスクリュー先端部２２Ａがリード軸受穴７３から外れてしまうのを防止することができる。
【０１００】
またブラケット３０では、リード軸受部６１によってリードスクリュー２２を保持することにより、当該リードスクリュー２２をモータ軸２６より上側に配置させると共に、軸受先端部７４をモータ軸受部６２の上部に形成された上下位置固定領域８０に対向させる。そしてブラケット３０では、上下位置固定領域８０の一部として螺子穴８２に螺合される螺子８３よって軸受先端部７４を押し下げることにより、リード軸受部６１の上下方向の位置を固定するようにした。
【０１０１】
これによりブラケット３０では、上下位置固定領域８０によって軸受先端部７４を押し下げるだけの簡易な構成でリードスクリュー２２の上下方向の位置を調整することができる。
【０１０２】
さらにブラケット３０では、上下位置固定領域８０の上面６２Ａに下側に向けた螺子穴８２が形成されると共に当該上面６２Ａが軸受先端部７４の上端である上面７４Ａよりも下側に形成され、当該螺子穴８２に挿入された螺子８３の螺子頭８３Ａが軸受先端部７４を押し下げることによりリード軸受部６１の上下方向の位置を固定するようにした。
【０１０３】
これによりブラケット３０では、螺子８３の螺合状態によってリード軸受部６１を上下方向の任意の位置に調整することができる。またブラケット３０は、上下位置固定領域８０として螺子穴８２を設けるだけで後は汎用な螺子８３を用いれば済むため、ブラケット３０としての構成を簡易にすることができる。
【０１０４】
またブラケット３０では、軸受先端部７４において上下位置固定領域８０と対向する対向面である対向面７４Ｃの上側から下側に向けて上下位置固定領域８０から離隔するように形成されているようにした。
【０１０５】
これによりブラケット３０では、軸受先端部７４の上面７４Ａの先端を上下位置固定領域８０に極力近接させて螺子頭８３Ａに当接する面積を大きくできると共に、軸受先端部７４と上下位置固定領域８０における側面６２Ｂとの間隔を広げて金型の剛性を確保することができる。
【０１０６】
さらにブラケット３０では、上下位置固定領域８０の上面６２Ａに螺子頭８３Ａを係止するための突起であるストッパ８１が形成されている。
【０１０７】
これによりブラケット３０では、螺子頭８３Ａが深く締め付けられることにより螺子頭８３Ａが軸受先端部７４を過剰に押し下げリード軸受部６１を変形させてしまうことを防止することができる。
【０１０８】
またブラケット３０では、上面６２Ａの位置によって螺子頭８３Ａを同様に係止する場合と比較して、上面６２Ａの位置を下げることができる。このためブラケット３０は、軸受先端部７４の先端面７４Ｂと上下位置固定領域８０における側面６２Ｂとを小さい間隔Ｇａで対向させることがなく、射出成型時の金型に薄板状の部位を形成させずに済むため、金型の剛性を確保することができる。
【０１０９】
さらにブラケット３０では、２つのストッパ８１を軸受先端部７４と上下位置固定領域８０とが対向する方向である長手方向と垂直な内外方向に対向させて設けている。これによりブラケット３０では、螺子８３を螺子穴８２に螺合する際、ストッパ８１間を介して作業者に軸受先端部７４の上面６２Ａに対する位置を容易に視認させて作業性を向上させることができる。
【０１１０】
またブラケット３０では、モータ２５に連接される板状のモータ連接部３３とモータ軸２６を収納すると共にモータ連接部３３とフレーム部６０とを接続するモータ軸収納部３４とを設けるようにした。
【０１１１】
これによりベースユニット１３では、モータ２５に対してモータ連接部３３を連接するだけの簡易な作業によってブラケット３０とモータ軸２６とを高い精度でほぼ平行に配置することができる。
【０１１２】
さらにブラケット３０では、ブラケット３０の外縁を構成すると共に、リード軸受部６１の上側に当該リード軸受部６１に沿ってフレーム部６０における上枠部７１が形成されている。ブラケット３０では、リード軸受部６１におけるリード軸受穴７３にリードスクリュー２２の先端部であるリード軸先端２２Ａが挿入されることにより当該リードスクリュー２２を保持する。
【０１１３】
そしてブラケット３０では、リード軸保持部６１のうち、上枠部７１と上下方向にその位置が重複する外側の領域６１Ａｃを有する部分を軸受穴７３の近傍である領域６１Ａａを有する部分よりも凹ませることにより、当該領域６１Ａａを有する軸保持部７２における上下方向の厚さを大きくする一方、領域６１Ａｃを有する部分の厚さを小さく形成するようにした。
【０１１４】
これによりブラケット３０では、ブラケット３０総体としての厚みを大きくすることなく、リード軸受部６１のうち大きな強度を必要としない領域６１Ａｃを有する部分と対向する上枠部７１の部分を厚く形成することができ、ブラケット３０としての全体の強度を向上させることができる。
【０１１５】
またブラケット３０では、リード軸受部６１によってリードスクリュー２２を光ピックアップ１４が移動するラジアル方向に平行に配置させ、モータ軸受部６１によってモータ軸２６をラジアル方向からほぼ４５°回転させた状態で配置させるようにした。
【０１１６】
これにより光ディスク装置１０では、モータ軸２６に配設されてなるモータ２５を光ディスク１００の投影領域から外すことができると共に、リードスクリュー２２とモータ軸２６とを極力大きい角度で交差させることができ、モータギア２７とリードギア２４との噛み合わせの負荷を低減することができる。
【０１１７】
またベースユニット１３では、軸受部３５の外側をベースユニット１３の外縁部分に沿わせるように配置される。ブラケット３０をこのように配置することにより、ブラケット３０の外側をベースユニット１３の最外側に配置することができるため、例えば軸受部３５をディスクトレイ１２の外枠に対して押し付けて配置することにより、リード軸受部６１を外側に変位させないようにすることが可能である。
【０１１８】
以上の構成によれば、光ディスク装置１０のベースユニット１３では、リードスクリュー２２及びモータ軸２６を上下方向にずらして交差させた状態で当該リードスクリュー２２及びモータ軸２６をブラケット３０によって保持する。
【０１１９】
このブラケット３０は、モータ軸２６に平行に細長く軸受先端部７４が解放されたリード軸受部６１によってリードスクリュー２２を保持すると共に、フレーム部６０を介して当該リード軸受部６１の根本と接続されたモータ軸受部６２によってモータ軸２６を保持する。そしてブラケット３０は、リード軸受部６１の上下方向の位置を固定する上下位置固定領域８０を有している。
【０１２０】
これによりベースユニット１３ではリード軸受部６１の上下方向の位置を調整することによりリードギア２４及びモータギア２７のバックラッシュが適正値付近になるようにリードギア２４の上下方向の位置を調整することができるため、ギア間ノイズを低減して伝達効率を向上させることができ、かくして光ピックアップの移動負荷特性を良好にし得るピックアップ移動モジュール、光ディスク装置及びブラケットを実現できる。
【０１２１】
（４）他の実施の形態
なお上述の実施の形態においては、ブラケット３０が固定部３１及び３２によってベースユニット１３に固定されるようにした場合について述べたが、本発明はこれに限らず、例えばモータ軸受部と、リード軸受部と、接続部と、上下位置固定部とからなるブラケット部がベースユニット１３に直接固定されていても良い。
【０１２２】
また上述の実施の形態においては、ブラケット３０がモータ連接部３３及びモータ軸収納部３４を有するようにした場合について述べたが、本発明はこれに限らず、要はブラケットとしてモータ軸受部と、リード軸受部と、接続部と、上下位置固定部とを有するようにすれば良い。
【０１２３】
さらに上述の実施の形態においては、根本部としての弾性部７６が弾性を有するようにした場合について述べたが、本発明はこれに限らず、要はリード軸受部６１が上下方向に変位可能であれば良く、弾性を有さないようにしても良い。
【０１２４】
さらに上述の実施の形態においては、螺子頭８３Ａによって軸受先端部７４を下側に押し付けるようにした場合について述べたが、本発明はこれに限らず例えば下側から螺子を螺合することにより上側へ押し付けるようにしても良い。また必ずしも螺子を用いる必要はなく、例えばコの字状の部材を用いて上側及び下側の両方から押し付けるようにしてリード軸受部６１の上下両側を固定しても良い。
【０１２５】
さらに上述の実施の形態においては、弾性部７６の上下方向の厚さが内外方向の厚さよりも小さいようにした場合について述べたが、本発明はこれに限らず、上下方向の厚さが内外方向よりも大きくなるように形成しても良い。この場合、リード軸受部６１が内外方向に変位してしまう可能性があるため、上述したようにリード軸受部６１の外側をディスクトレイ１２のシャーシなどに押し当ててリード軸受部６１を外側に変位させないようにすることが望ましい。
【０１２６】
さらに上述の実施の形態においては、リード軸受部６１の外側と外枠部７１の外側がほぼ面一となるようにした場合について述べたが、本発明はこれに限らず、例えばリード軸受部６１を突出させるように形成することにより、リード軸受部６１をディスクトレイ１２のシャーシなどに押し当てて固定することが容易となる。
【０１２７】
さらに上述の実施の形態においては、リードスクリュー２２をモータ軸２６より上側に配置するようにした場合について述べたが、本発明はこれに限らず、リードスクリュー２２をモータ軸２６より下側に配置するようにしても良い。この場合であっても、上述した実施の形態と同様の効果を得ることができる。
【０１２８】
さらに上述の実施の形態においては、リード軸受部６１を細長に形成することにより上下方向に変位可能に形成するようにした場合について述べたが、本発明はこれに限らず、例えばモータ軸受部６２をリードスクリュー２２に平行に細長に形成することにより上下方向に変位可能に形成するようにしても良い。
【０１２９】
さらに上述の実施の形態においては、モータ軸受部６２の一部として上下位置固定部としての上下位置固定領域８０を設けるようにした場合について述べたが、本発明はこれに限らず、モータ軸受部６２から独立した状態の上下位置固定部を設けるようにしても良い。
【０１３０】
さらに上述の実施の形態においては、リード軸受穴７３及びモータ軸受穴６３がリードスクリュー２２及びモータ軸２６を回転可能に保持するようにした場合について述べたが、本発明はこれに限らず、リードスクリュー２２及びモータ軸２６が回転機構を有していることにより、リードスクリュー２２及びモータ軸２６を固定した状態で保持するようにすることができる。
【０１３１】
さらに上述の実施の形態においては、ブラケット３０が射出成形により形成するようにした場合について述べたが、本発明はこれに限らず、例えば板金でなるアルミ板を打ち抜き成形するなどその他種々の方法で形成するようにしても良い。
【０１３２】
さらに上述の実施の形態においては、軸受先端部７４の軸受側に上面７４Ａから下側にほぼ垂直に降りる先端面７４Ｂ及び当該先端面７４Ｂから下側に向けて上下位置固定領域８０から離隔する対向面７４Ｃが形成され、当該対向面７４Ｃが上下位置固定領域８０と対向するようにした場合について述べたが、本発明はこれに限らず、上面７４Ａからほぼ垂直に降りる先端面が上下位置固定領域８０と対向するようにしても良い。また先端面７４Ｂを有さず、上面７４Ａから下側に向けて上下位置固定領域８０から離隔するように直接的に対向面が形成されるようにしても良い。
【０１３３】
さらに上述の実施の形態においては、上下位置固定領域８０の上面６２Ａにストッパ８１が形成されるようにした場合について述べたが、本発明はこれに限らず、必ずしもストッパ８１が形成される必要はない。この場合、上面６２Ａの位置によって螺子８３が軸受先端部７４を押し下げすぎないように調整することができる。
【０１３４】
さらに上述の実施の形態においては、リード軸受部６１における外枠部７１と対向する外側の領域のうち、リード軸受穴７３の近傍における上下方向の厚さを他よりも厚くするようにした場合について述べたが、本発明はこれに限らず、例えば上下方向の厚さを均一にするようにしても良い。
【０１３５】
さらに上述の実施の形態においては、ブラケット３０をベースユニット１３の外縁枠２９Ａに沿うようにかつ軸受部３５を当該外縁枠２９Ａから突出させるように配置するようにした場合について述べたが、本発明はこれに限らず、ベースユニット１３の形状とブラケット３０を配置する方向及び位置関係については特に制限はない。
【０１３６】
さらに上述の実施の形態においては、モータ軸２６を上下方向に直交する面内でラジアル方向から約４５°回転させた方向に配置するようにした場合について述べたが、本発明はこれに限らず、モータ軸２６の配置される方向に制限はない。
【０１３７】
さらに上述の実施の形態においては、リードギア２４及びモータギア２７がねじ歯車でなるようにした場合について述べたが、本発明はこれに限らず、２つのギアを直接噛み合わせることができる種々の歯車を使用することができる。
【０１３８】
さらに上述の実施の形態においては、光ピックアップとしての光ピックアップ１４と、リードスクリューとしてのリードスクリュー２２と、モータとしてのモータ２５と、ブラケット部としてのブラケット３０と、ラック部としてのラック２３とによってピックアップ移動モジュールとしてのベースユニット１３を構成するようにした場合について述べたが、本発明はこれに限らず、その他種々の構成でなる光ピックアップと、リードスクリューと、モータと、ブラケット部と、ラック部とによって本発明のピックアップ移動モジュールを構成するようにしても良い。
【０１３９】
さらに上述の実施の形態においては、モータ軸受部としてのモータ軸受部６２と、リード軸受部としてのリード軸受部６１と、接続部としてのフレーム部６０と、上下位置固定部としての上下位置固定領域８０とによってブラケットとしてのブラケット３０を構成するようにした場合について述べたが、本発明はこれに限らず、その他種々の構成でなるモータ軸受部と、リード軸受部と、接続部と、上下位置固定部とによって本発明のブラケットを構成するようにしても良い。
【産業上の利用可能性】
【０１４０】
本発明は、例えば各種電子機器に搭載される薄型の光ディスク装置に利用することができる。
【図面の簡単な説明】
【０１４１】
【図１】従来のベースユニットを示す略線図である。
【図２】ギアの噛み合いの説明に供する略線図である。
【図３】光ディスク装置の全体構成を示す略線図である。
【図４】ベースユニットの構成を示す略線図である。
【図５】モータギアとリードギアの配置の説明に供する略線図である。
【図６】ブラケットを示す略線的斜視図（１）である。
【図７】ブラケットを示す略線的斜視図（２）である。
【図８】ブラケットを示す略線的斜視図（３）である。
【図９】ブラケットを示す略線的下面図である。
【図１０】ブラケットを示す略線的上面図である。
【図１１】ブラケットを示す略線的側面図（１）である。
【図１２】ブラケットを示す略線的下面図（２）である。
【図１３】ブラケットの設置（１）の説明に供する略線図である。
【図１４】ブラケットの設置（２）の説明に供する略線図である。
【図１５】軸受部を示す略線的斜視図である。
【図１６】軸受部を示す略線的上面図である。
【図１７】リード軸受部の構成を示す略線図である。
【図１８】リードスクリューの高さ調整（１）の説明に供する略線図である。
【図１９】リードスクリューの高さ調整（２）の説明に供する略線図である。
【符号の説明】
【０１４２】
１、１３……ベースユニット、２、１４……光ピックアップ、３、２０Ａ、２０Ｂ……移動軸、４、２２…リードスクリュー、５、２３……ラック、１０……光ディスク装置、２２Ａ……スクリュー溝、２３Ａ……ラック歯、２４……リードギア、２５……モータ、２６……モータ軸、２７……モータギア、３１、３２……固定部、３３……モータ連接部、３４……モータ軸収納部、３５……軸受部、６０……フレーム部、６１……リード軸受部、６２……モータ軸受部、７１……上枠部、７２……軸保持部、７３……リード軸受穴、７４……軸受先端部、７４Ａ……上面、７４Ｂ……先端面、７４Ｃ……対向面、７５……モータ軸受穴、８０……上下位置固定領域、８１……ストッパ、８２……螺子穴、８３……螺子、８３Ａ……螺子頭。
【図１】
2009205731.tif 000003
【図２】
2009205731.tif 000004
【図３】
2009205731.tif 000005
【図４】
2009205731.tif 000006
【図５】
2009205731.tif 000007
【図６】
2009205731.tif 000008
【図７】
2009205731.tif 000009
【図８】
2009205731.tif 000010
【図９】
2009205731.tif 000011
【図１０】
2009205731.tif 000012
【図１１】
2009205731.tif 000013
【図１２】
2009205731.tif 000014
【図１３】
2009205731.tif 000015
【図１４】
2009205731.tif 000016
【図１５】
2009205731.tif 000017
【図１６】
2009205731.tif 000018
【図１７】
2009205731.tif 000019
【図１８】
2009205731.tif 000020
【図１９】
2009205731.tif 000021